(57)【要約】【課題】  液体にオゾンを含ませ易くし、その液体を噴射することにより消毒を行なうことを可能としながらも、高温高圧洗浄を行なうことができるオゾン消毒・洗浄装置を提供する。【解決手段】  オゾン消毒・洗浄装置１は、本体２内に、水をそのまま通過させる非稼動状態と加熱して通過させる稼動状態に切換可能なボイラ１９と、オゾン発生器２８と、オゾン発生器２８の停止時には水をそのまま通過させると共に、オゾン発生器２８の動作時には水にオゾンを混合させて通過させるインジェクタ２５と、インジェクタ２５に接続され、本体２外に導出されたホース３と、このホースに接続された噴射ガン４と、この噴射ガン４に設けられ、噴射圧力を調節する圧力調節器４ｂとが設けられているので、オゾン消毒を行なう場合には、オゾン水とオゾンを含んだ空気の気泡を同時に噴射することによりオゾン消毒による効果を上昇させることができ、また、高温高圧洗浄を行なう場合には、塵及び泥等の比較的大きい汚れを落とすことができ、以って、オゾン消毒と高温高圧洗浄を１台で行なうことを可能となる。【選択図】  図１
2006102318.tif 000002
【特許請求の範囲】
【請求項１】
筺体と、
この筺体内に設けられ、外部から供給された液体をそのまま或いは多少加熱して通過させる非稼動状態と高温に加熱して通過させる稼動状態に切換え可能なボイラと、
前記筺体内に設けられたオゾン発生器と、
前記筺体内に設けられ、前記オゾン発生器の停止時には前記ボイラからの液体をそのまま通過させ、前記オゾン発生器の動作時にはその液体にオゾンを混合させて通過させる混合器と、
この混合器に接続され、前記筺体の外側に位置する一本のホースと、
このホースに接続され、そのホースを介して前記混合器から供給される液体を噴射及び噴射停止する噴射ガンと、
この噴射ガンからの液体の噴射圧力を調節する圧力調節手段とを具備してなることを特徴とするオゾン消毒・洗浄装置。
【請求項２】
前記オゾン発生器と混合器との間のラインには、逆止弁が設けられていることを特徴とする請求項１記載のオゾン消毒・洗浄装置。
【発明の詳細な説明】
【技術分野】
【０００１】
本発明は、対象物としてベッドや車椅子等を低圧オゾン消毒及び高温高圧洗浄することができるオゾン消毒・洗浄装置に関する。
【背景技術】
【０００２】
従来、高温高圧洗浄装置としては、例えば、水道水を給水タンクに貯め、ポンプにより、その水道水を熱交換器に通過させることにより加熱加圧して、洗浄ガンから噴出する構成のものが提案されている（特許文献１参照）。
【０００３】
さらに、オゾン消毒装置としては、例えば、外部から取り入れられた空気を空気ポンプによりオゾン発生器中に送って通過させることでオゾンを含んだ空気を生成し、混合器によりそのオゾンを含んだ空気と外部から取り入れられた水とを混合して、噴射ガンより噴射する構成のものが提案されている（特許文献２参照）。
【特許文献１】特開２００４−６６０５０号公報
【特許文献２】特開平８−５２４４２号公報
【発明の開示】
【発明が解決しようとする課題】
【０００４】
従来からある高温高圧洗浄装置は、当然、水温が高く設定されていると共に噴射圧力も高く設定されているので、塵及び泥汚れ等の汚れを剥離して洗い流す洗浄力に長けている。一方、オゾン消毒装置は、オゾン水により、カビ、ぬめりを分解し或いは菌を殺す分解（消臭）殺菌（消毒）力に長じている。ところが、例えば病院で使用されたベッドや車椅子等を洗浄する場合には、高温高圧洗浄装置の洗浄力とオゾン消毒装置の分解殺菌力との双方が必要とされるが、二台の装置を購入することは経済的に不利であり、一台で両機能を有する装置の開発が望まれている。
【０００５】
この場合、オゾンを水に含ませるに際しては、高温になればなるほど、さらに、高圧になればなるほど、オゾンを含有させるのは難しく、高温高圧水にオゾンを含ませる構成のオゾン消毒・洗浄装置を実現させるのは極めて困難である。
【０００６】
本発明は上記事情に鑑みてなされたもので、その目的は、液体にオゾンを含ませ易くし、その液体を噴射することにより消毒を行なうことを可能としながらも、高温高圧洗浄を行なうことができるオゾン消毒・洗浄装置を提供するにある。
【課題を解決するための手段】
【０００７】
請求項１記載のオゾン消毒・洗浄装置は、筺体と、この筺体内に設けられ、外部から供給された液体をそのまま或いは多少過熱して通過させる非稼動状態と高温に加熱して通過させる稼動状態に切換え可能なボイラと、前記筺体内に設けられたオゾン発生器と、前記筺体内に設けられ、前記オゾン発生器の停止時には前記ボイラからの液体をそのまま通過させ、前記オゾン発生器の動作時にはその液体にオゾンを混合させて通過させる混合器と、この混合器に接続され、前記筺体の外側に位置する一本のホースと、このホースに接続され、そのホースを介して前記混合器から供給される液体を噴射及び噴射停止する噴射ガンと、この噴射ガンからの液体の噴射圧力を調節する圧力調節手段とを具備してなることを特徴とする。
【０００８】
このような構成によれば、ボイラは非稼動状態、稼動状態に設定され、さらに、圧力調節手段により噴射圧力が調節されるので、オゾン消毒を行なう場合には、ボイラを非稼動状態にし且つ噴射圧力を液体中にオゾンを含み易い低圧状態にし、洗浄を行なう場合には、ボイラを稼動状態にし且つ噴射圧力を塵及び泥等の汚れを落し易い高圧状態にすることで、オゾンによる消毒を行なうことを可能としながらも、高温高圧の液体を噴射することによる洗浄を１台で行なうことが可能となる。
【０００９】
請求項２記載のオゾン消毒・洗浄装置は、前記オゾン発生器と混合器との間のラインには、逆止弁が設けられていることを特徴とする。
【００１０】
このような構成によれば、前記オゾン発生器と混合器との間のラインに設けられた逆止弁により、オゾン発生器の停止中に、オゾン発生器側へ液体が逆流することを防止できる。
【発明の効果】
【００１１】
本発明のオゾン消毒・洗浄装置によれば、ボイラと圧力調節手段の協働により、液体にオゾンを含ませ易くし、その液体を噴射することにより消毒を行なうことを可能としながらも、高温高圧洗浄を行なうことができる。
【発明を実施するための最良の形態】
【００１２】
以下、本発明の一実施例について、図面を参照しながら説明する。
図２は、オゾン消毒・洗浄装置１の外観斜視図を示しており、この図２において、ステンレスにより形成された本体（筺体に相当）２からは、テフロン（登録商標）（フッ化樹脂）製或いはシリコン製の耐オゾン性及び可撓性を有するホース３が導出されており、このホース３には、噴射ガン４が設けられている。この噴射ガン４には、後述するトリガ４ａ及び圧力調節器(圧力調節手段に相当)４ｂが設けられている。本体２の下面には、キャスタ５が設けられ、本体２の上面前面部には、２つの取手６，６が設けられているので、本体２は移動自在に構成されている。本体２の上面前部には、取手６，６間に位置して操作パネル７が設けられ、この操作パネル７には、電源操作子８が設けられるとともに、消毒洗浄切換操作子９が設けられている。さらに、本体２の後部からは、電源コード１０が導出されている。電源操作子８及び消毒洗浄切換操作子９は後述するスイッチ装置３２（図１及び図３参照）の操作子であり、電源コード１０は当該スイッチ装置３２に接続されている。本体２の前側開口部には、扉１１が開閉可能に設けられて、この扉１１にはつまみ１２が設けられている。そして、このつまみ１２を操作することにより、扉１１が開閉かのうになる。さらに、本体２の右側面には、噴射ガン４を保持するためのフック１３が設けられている。
【００１３】
図１はオゾン消毒・洗浄装置１のブロック構成図を示し、この図１において、本体２には、液体として例えば水道水を供給するための給水孔１４が設けられている。この給水孔１４には、水道からの送られた水の圧力を調節するために減圧弁１５が接続され、この減圧弁１５には、給水タンク１６が接続されている。この給水タンク１６は、フロートを内蔵しており、給水タンク１６と減圧弁１５との協働により、給水タンク１６には、所定量の水が貯水される構成になっている。この給水タンク１６には、液体ポンプ１７が接続されており、この液体ポンプ１７は、給水タンク１６に貯水されている水を加圧することにより、調節弁１８を介してボイラ１９に送る。調節弁１８は、液体ポンプ１７からの水の圧力を一定圧力に調節するために設けられ、一定圧力を超えた場合は、液体ポンプ１７からの水が給水タンク１６に戻される。
【００１４】
ボイラ１９内には、螺旋状に旋回された通路が設けられ、その通路を通過する水を加熱するためのバーナ２０が設けられる。このバーナ２０には、給油弁２１及び給油ポンプ２３を介して、給油タンク２２が接続されている。バーナ２０には、給油ポンプ２３により給油タンク２２に貯められた灯油等が供給されて、プラグ点火による自動点火方式により点火されて稼動状態とされ、以ってボイラ１９が稼動状態となる。尚、ボイラ１９の排気口１９ｂを図２に示す。
【００１５】
そして、ボイラ１９に送られた水は稼動状態には加熱されて通過し非稼動状態にはそのまま加熱されることなく通過する。ボイラ１９からの出口は、安全弁２４に接続されており、この安全弁２４は、ボイラ１９の出口にて異常圧力が生じた場合に、給水タンク１６側に水を戻すために設けられている。そして、安全弁２４を通過した水がインジェクタ(混合器に相当)２５に送られる。
【００１６】
一方、本体２には、気体として例えば空気を供給するための吸気孔２６が設けられている（本実施例において吸気孔２６は、本体２と扉１１との間に存在する隙間等を示す）。この吸気孔２６には、気体ポンプ２７が接続されており、吸気孔２６から吸気された空気は、気体ポンプ２７により加圧されて、オゾン発生器２８に送られる。このオゾン発生器２８には、トランス２９と一対の電極３０，３０が設けられている。ここで、オゾン発生器２８の動作時について説明する。電極３０，３０間にガラス或いはセラミックのような誘電体が挟まれており、トランス２９の低圧側コイルに電源が供給されることにより電極３０，３０間に高圧側コイルから交流高電圧が印加され、気体ポンプ２７により送られた空気が電極３０，３０間に流されて、オゾンを含んだ空気が生成される。このようにオゾン発生器２８は所謂無声放電方式のオゾン発生器（オゾナイザ)である。
【００１７】
このオゾンを含んだ空気は、逆止弁３１を介して、インジェクタ２５に送られる。この逆止弁３１は、オゾン発生器２８の停止時にインジェクタ２５から水が逆流するのを防止するために設けられている。
【００１８】
そして、インジェクタ２５は、ボイラ１９からの水の流れと、オゾン発生器２８からのオゾンを含んだ空気の流れとを混合させて混合体とするものであり、この混合体は、水にオゾンが溶け込んだものと溶けきらなかったオゾンを含んだ空気の気泡とが混在した液体である。
【００１９】
インジェクタ２５を通過した混合体は、ホース３を介して、噴射ガン４より噴射される。ここで、噴射ガン４に設けられたトリガ４ａを握ると噴射ガン４内の弁が開放されて、噴射が開始され、トリガ４ａを離すと弁が閉鎖されて噴射が停止される。さらに、噴射ガン４に設けられた圧力調節器４ｂは、噴射ガン４の噴射軸を中心に所定角度間を回動可能に設けられており、圧力調節器４ｂを一方に回転させることにより、噴射孔の径が拡大されて噴射圧力が例えば１０ｋｇｆ／ｃｍ2（低圧力）に設定された状態から、逆方向に回転させることにより、噴射孔の径が縮小されて噴射圧力が例えば５０ｋｇｆ／ｃｍ2（高圧力）に設定された状態まで連続的に設定可能な構成である。
【００２０】
図３は電源系統図を示している。この図３において、スイッチ装置３２は、電源端子３２Ａ、３２Ｂを備えており、これら電源端子３２Ａ，３２Ｂは、電源コード１０を介して例えばＡＣ１００Ｖの商用交流電源３３と接続されている。このスイッチ装置３２には、商用交流電源３３からの電源を「オン」・「オフ」するための電源用スイッチ３２ａが設けられており、前記電源端子３２Ａは、この電源用スイッチ３２ａを介して電源線３２Ｃに接続され、電源端子３２Ｂは電源線３２Ｄに接続されている。
【００２１】
そして、電源線３２Ｃ，３２Ｄ間には、液体ポンプ１７とこれを稼動状態と非稼動状態とを切換える液体ポンプ用スイッチ１７ａとの直列回路、ボイラ１９（バーナ２０）とこれを稼動状態と非稼動状態とを切換えるボイラ用スイッチ１９ａとの直列回路、バーナ２０への給油を行なうための給油ポンプ２３とこれを稼動状態と非稼動状態とに切換える給油ポンプ用スイッチ２３ａとの直列回路、オゾン発生器２８に空気を送るための気体ポンプ２７とこれを動作状態と停止状態とに切換える気体ポンプ用スイッチ２７ａとの直列回路、オゾン発生器２８に設けられたトランス２９（低圧側コイル）とこれを動作状態と停止状態とに切換えるオゾン発生器用スイッチ２９ａとの直列回路がそれぞれ接続されている。
【００２２】
電源用スイッチ３２ａは、操作パネル７に設けられた電源操作子８が「ＯＮ」側に操作されることにより「オン」され、電源操作子８が「ＯＦＦ」側に操作されることにより「オフ」されるものである。また、消毒洗浄切換操作子９が「消毒」側に操作されると、液体ポンプ用スイッチ１７ａ、オゾン発生器用スイッチ２８ａ及び気体ポンプ用スイッチ２７ａが「オン」され、消毒洗浄切換操作子９が「洗浄」側に操作されると、液体ポンプ用スイッチ１７ａ、ボイラ用スイッチ１９ａ及び給油ポンプ用スイッチ２３ａが「オン」される構成である。
【００２３】
以下本実施例の作用・効果について説明する。
オゾン消毒・洗浄装置１を使用する場合、作業者は、キャスタ５と取手６とにより装置１を移動自在に構成されているので、所望の位置に移動させて、つまみ１２を操作して扉１１を開放させ、給油タンク２２に給油を行なう。さらに、給水孔１４と図示しない水道の蛇口とホースとを接続すると共に、電源コード１０を図示しないコンセントに接続して準備を行なう。
【００２４】
まず、オゾン消毒・洗浄装置１により、オゾン消毒を行なう場合を説明する。
作業者は、電源操作子８を「ＯＮ」に操作すると共に、消毒洗浄切換操作子９を「消毒」側に操作する。すると、液体ポンプ１７に通電され、気体ポンプ２７及びトランス２９に通電されて、オゾン発生器２８が動作状態になる。そして、給水孔１４から給水タンク１６に給水された水が液体ポンプ１７により非稼動状態のボイラ１９を通過してインジェクタ２５まで送られ、さらに、吸気孔２６から吸気された空気が気体ポンプ２７によりオゾン発生器２８通過することでオゾンを含んだ空気がインジェクタ２５まで送られ、以って、水（オゾンが溶け込んでいる水）にオゾンを含んだ空気の気泡が混合された混合体が生成される。
【００２５】
そして、作業者は、噴射ガン４を手に取り、圧力調節器４ｂを低圧側に回動させて、トリガ４ａを握ることにより、混合体が噴射ガンより低圧力噴射されて、対象物としてベッドや車椅子等をオゾン消毒することができる。
【００２６】
さらに、オゾン消毒・洗浄装置１により、高温水洗浄を行なう場合を説明する。
作業者は、電源操作子８を「ＯＮ」に操作すると共に、消毒洗浄切換操作子９を「洗浄」側に操作する。すると、液体ポンプ１７に通電され、ボイラ１９及び給油ポンプ２３に通電されてボイラが稼動状態となる。給水孔１４から給水タンク１６に給水された水が、液体ポンプ１７により、ボイラ１９を通過することで加熱された高温の水（例えば１００℃の水）が生成される（ここでは、オゾン発生器２８は、停止しているためインジェクタ２５でオゾンと混合されることはない）。
【００２７】
そして、作業者は、噴射ガン４を手に取り、圧力調節器４ｂを高圧側に回動させて、トリガ４ａを握ることにより、温水が噴射ガンより高圧力噴射されて、対象物としてベッドや車椅子等を高温高圧洗浄することができる。
【００２８】
このような構成によれば、オゾン消毒を行なう場合には、常水温及び低圧力（１０ｋｇｆ／ｃｍ2）噴射にすることで水中にオゾンを含み易い状態にして、オゾン水とオゾンを含んだ空気の気泡を同時に噴射することによりオゾン消毒による効果を上昇させることができる。尚、オゾンの強力な酸化力により、臭い物質が酸化（分解）されて消臭することができる。また、高温高圧洗浄を行なう場合には、水温１００℃及び高圧力（５０ｋｇｆ／ｃｍ2）噴射にすることで、塵及び泥等の比較的大きい汚れを落とすことができ、以って、オゾン消毒と高温高圧洗浄を１台で行なうことを可能となる。さらに、本体２外に導出されたホース３は一本で構成されているため、とり回しが楽であるといった利点もある。
【００２９】
さらに、オゾン発生器２８とインジェクタ２５とのライン上に、逆止弁３１が設けられているので、オゾン発生器２８の停止中にインジェクタ２５より水の逆流を防止することができるので、オゾン発生器２８の水による故障を抑制することができる。
【００３０】
尚、本発明は、上記し且つ図面に示す実施例にのみ限定されるものではなく、次のような拡張、変形が可能である。
【００３１】
上記実施例においては、オゾン水消毒を行なう場合には、常水温の水を用いるようにしたが、外気温度が低い冬季等には、水をボイラ１９により多少加熱するようにしてもよく、この場合でもボイラ１９は非稼動状態と定義する。
【００３２】
上記実施例においては、オゾンを発生させる気体として空気を用いる構成としたが、酸素及び酸素含有気体ならどんなものでもよく、この場合、空気以外の気体を使用する場合は、吸気孔２６の代わりに気体ボンベを本体２の内部に設ける構成とする。
【００３３】
上記実施例においては、無声放電方式のオゾン発生器(オゾナイザ)２８を用いる構成としたが、電解方式のオゾン発生器、放射線照射方式のオゾン発生器或いは光化学反応方式のオゾン発生器等を用いてもよい。電解方式のオゾン発生器としては、例えば貴金属の陽極を用いて硫酸或いは酸性の水溶液を電解すると特殊な条件下で酸素と併発してオゾンが発生するものである。放射線照射方式のオゾン発生器としては、例えば放射線の電離作用によるもので、放射線の高エネルギー領域に空気を入れるとオゾンが発生することを応用したものである。光化学反応方式のオゾン発生器はとしては、紫外線の中でも更に波長の短いオゾン発生線と呼ばれる光線を酸素分子に照射すると、酸素が解離して酸素原子が２個生じ他の酸素分子と結合してオゾンが発生するものである。
【００３４】
上記実施例において、噴射ガン４に設けた圧力調節器４ｂにより噴射圧力調整する構成としたが、液体ポンプ１７をインバータ制御することによりポンプの動作を制御して噴射圧力を変化させる構成（圧力調整手段に相当）としてもよい。
【図面の簡単な説明】
【００３５】
【図１】本発明の一実施例を示すオゾン消毒・洗浄装置のブロック構成図
【図２】オゾン消毒・洗浄装置の斜視図
【図３】電源系統図
【符号の説明】
【００３６】
図面中、１はオゾン消毒・洗浄装置、２は本体（筺体）、３はホース、４は噴射ガン、４ａはトリガ、４ｂは圧力調節器（圧力調節手段）、１６は給水タンク、１７は液体ポンプ、１９はボイラ、２０はバーナ、２２は給油タンク、２３は給油ポンプ、２５はインジェクタ、２７は気体ポンプ、２８はオゾン発生器、２９はトランス、３０は電極、３１は逆止弁を示す。
【図１】
2006102318.tif 000003
【図２】
2006102318.tif 000004
【図３】
2006102318.tif 000005